(57)【要約】  本発明は、基層２０、第１の電極層３０及び第２の電極層４０を備えた基板の積層１５を有する発光素子１０であって、第１の電極層３０と第２の電極層４０との間に有機発光層５０が挟持され、有機発光層５０は人工光５１を発し、基層２０は第１の部分６１と第２の部分６２とで構成された逆反射部材６０により被覆され、複数の逆反射素子７０、７０'が第１の部分６１に組み込まれ、各逆反射素子７０、７０'は逆反射部材６０の前面６５に当たる周囲光８０、８０'を周囲光８０、８０'の源の方向へと反射し、前記第２の部分は、逆反射部材６０の背面６６に当たる人工光５１に対して透明である、発光素子に関する。
2010524169.tif 000002
【特許請求の範囲】
【請求項１】
基層、第１の電極層及び第２の電極層を備えた基板の積層を有する発光素子であって、
前記第１の電極層と前記第２の電極層との間に有機発光層が挟持され、
前記有機発光層は人工光を発することが可能であり、
前記基層は第１の部分と第２の部分とで構成された逆反射部材により被覆され、
複数の逆反射素子が前記第１の部分に組み込まれ、
各前記逆反射素子は前記逆反射部材の前面に当たる周囲光を前記周囲光の源の方向へと反射することが可能であり、
前記第２の部分は、前記逆反射部材の背面に当たる前記人工光に対して透明である、発光素子。
【請求項２】
前記逆反射部材は前記基層に接続され、好適には前記逆反射部材と前記基層とが一体となっていることを特徴とする、請求項１に記載の発光素子。
【請求項３】
前記逆反射素子は、立方体コーナー素子を形成する、３つの相互に垂直な平面を有することを特徴とする、請求項１又は２に記載の発光素子。
【請求項４】
前記逆反射素子は、前記逆反射部材に組み込まれた微小球であることを特徴とする、請求項１又は２に記載の発光素子。
【請求項５】
前記逆反射部材は、前記発光素子の前記積層を封止することを特徴とする、請求項１乃至４のいずれか一項に記載の発光素子。
【請求項６】
前記第１の部分は、前記逆反射部材の背面に当たる前記人工光に対して少なくとも部分的に透明であることを特徴とする、請求項１乃至５のいずれか一項に記載の発光素子。
【請求項７】
前記第１の及び／又は第２の部分は、三角形、正方形、五角形、六角形及び八角形のうちの少なくとも１つの外形を有することを特徴とする、請求項１乃至６のいずれか一項に記載の発光素子。
【請求項８】
前記第２の部分は前記逆反射部材における空隙であることを特徴とする、請求項１乃至７のいずれか一項に記載の発光素子。
【請求項９】
前記逆反射部材は多層箔であることを特徴とする、請求項１乃至８のいずれか一項に記載の発光素子。
【発明の詳細な説明】
【技術分野】
【０００１】
本発明は、発光素子に関する。
【背景技術】
【０００２】
建設作業員又は道路作業員は夜間、運転手又はその他の道路使用者によって見落とされる非常な危険に直面している。斯くして、自動車のヘッドライトにより照らされていても、建設作業員の暗い色の衣服は、事故を防ぐのに十分に見えない場合がある。このことは、車両の運転手が自動車のヘッドライトを使用せず、建設作業員がしばしば事故を防ぐには遅すぎる時点で認識される、薄暮の間についても当てはまる。同様のことは、交通標識、道路標識又は案内標識にも当てはまる。これらの標識はしばしば運転手によってあまりに遅くに認識され、運転手が標識により与えられる指示に対処する場合に、危険な状況が生じ得る。説明したもののような深刻な結果は、日常生活の多くの分野において生じ、不適切に照明された又はあまり反射性でない物体の見落としが容易に生じる。これらの欠点を防ぐため、物体又は人物が、発光素子又は反射性の高い外層を備えることも可能である。
【発明の概要】
【発明が解決しようとする課題】
【０００３】
米国特許US6,142,643Aには、逆反射層が取り付けられたエレクトロルミネセンス素子を有する照明装置が記載されている。斯くして、発光素子は、逆反射効果と自己ルミネセンスとの双方を備える。不運にも、エレクトロルミネセンス光源は、コストが高く且つ極めて非効率的であることが知られている。更にエレクトロルミネセンス光源は、ＡＣ電源、及び通常は極めて高く潜在的に危険である電圧を必要とする。
【０００４】
国際特許出願公開WO2005/102783A1には、逆反射シートにより被覆されたＯＬＥＤを有するナンバープレート・アセンブリが示されている。不運にも、逆反射シートは、ＯＬＥＤにより発せられた人工光に対して高い減衰を示す。従って、記載されるナンバープレート・アセンブリは、逆反射効果と自己ルミネセンスとを提供する。それにもかかわらず、該ナンバープレート・アセンブリの達成される光出力は、逆反射部材のため、極めて低い。
【０００５】
本発明は、以上に述べた欠点を除去することを目的とする。とりわけ、本発明の目的は、夜間に格段の視認性をもたらす、ＤＣ駆動の発光素子を提供することにある。
【課題を解決するための手段】
【０００６】
本発明の目的は、基層、第１の電極層及び第２の電極層を備えた基板の積層を有する発光素子であって、前記第１の電極層と前記第２の電極層との間に有機発光層が挟持され、前記有機発光層は人工光を発する発光素子において、前記基層は第１の部分と第２の部分とで構成された逆反射部材により被覆され、複数の逆反射素子が前記第１の部分に組み込まれ、各逆反射素子は該逆反射部材の前面に当たる周囲光を前記周囲光の源の方向へと反射し、前記第２の部分は、前記逆反射部材の背面に当たる人工光に対して透明である、発光素子により達成される。
【０００７】
本発明の優れた洞察は、ＤＣ電流により駆動されることができるＯＬＥＤを、極めて十分に大きな面積の光源として利用することにある。ＯＬＥＤと逆反射特性を有する素子との組み合わせにより、逆反射効果と自己ルミネセンスとを備える素子が開示される。逆反射部材を第１の部分と第２の部分とに分割することにより、十分な光出力が達成される。結果として、説明される発光素子を組み込んだ道路標識又は衣服のような物品は、改善された有効性と増大させられた安全性を提供することができる。
【０００８】
前記発光素子は、キャリアとして働く基板層を有しても良く、該基板層はガラス若しくは有機物質からできたものであっても良いし、又は金属箔のような非透過性の物質でできたものであっても良い。該基板層には通常、透明なインジウムスズ酸化物（ＩＴＯ）の薄層が塗布され、第１の電極層を形成する。更に、有機発光ダイオードは、約５乃至５００ｎｍの層厚の有機物質を持つ、少なくとも１つの薄層から成る。ＯＬＥＤは、第２の電極層を形成する、アルミニウムのような金属の層により一様に被覆され、該金属層は約１００ｎｍの厚さを持ち、従ってＩＴＯ層の厚さと同様である。斯かる厚さのアルミニウムはミラーとして働き、発せられた光は透明なＩＴＯの第１の電極層と透明な基層のみを通る。本発明においては、有機発光層なる語は、有機物質の単一の層のみならず、有機物質及び無機物質を有する幾つかの層から成る素子をも含む。
【０００９】
本発明においては、「基層」なる語は、電極及び／又は有機層が付着される層としてＯＬＥＤの説明においてしばしば利用される「基板」なる語と、混同されるべきではない。本発明の意味における基層は、基板であっても良いし、基板である必要もない。例えば、人工光が基板を通って有機発光層から出射する底部発光ＯＬＥＤが利用される場合には、基層と基板とは同一である。上部発光ＯＬＥＤが利用される場合には、基層は、電極層の１つの上部における被覆シートでもあり得る。両方の場合において、基層は常に、有機発光層において生成された人工光がＯＬＥＤから出射する際に通過するＯＬＥＤの外層である。
【００１０】
ＯＬＥＤを形成する説明された層構造は、包含される発光素子の能動部分である。該積層上に、該発光素子の受動部分である逆反射部材が配置される。該逆反射部材は、複数の逆反射素子を有する。逆反射素子は、光をその源の方向へと反射させる能力を有する。斯かる種類の逆反射素子は、３つの平面を互いに対して垂直に配置することにより作成されても良い。逆反射素子が有機発光層から発せられた光束を減衰させることを防ぐため、開示される発光素子は、第１の部分及び第２の部分を有する逆反射部材を有するが、第１の部分のみが逆反射素子を有する。これらの部分は並べて配置され、該積層の基層を被覆する。それ故、有機発光層により発せられた人工光は、減衰、吸収又は散乱させられることなく、第２の部分を通って進むことができる。それ故、該発光素子が道路作業員のジャケットにおいて夜間に利用される場合には、該ジャケットは自発的に明るくなり、それ故能動的に照明される必要なく、いずれかの人物にとって明らかに可視となる。しかしながら、自動車のヘッドライトの光が該発光素子に当たる場合には、該光は反射され、それ故前記有機発光層により発せられる人工光に加えられる。このことは、明るいジャケットに帰着し、道路作業員が容易に且つ安全な距離から認識されることを可能とする。
【００１１】
本発明においては、「人工光」なる語は、有機発光層により生成され発せられる光を示す。それ故、発光素子内で生成され、外部へと放射される光である。それに対し、「周囲光」なる語は、外部から発光素子へと照射される全ての光を含む。周囲光は、該発光素子の外部表面へと当たる光を照射する、自動車のヘッドライト又はその他の光源に、発光源を持つ。逆反射部材は説明される発光素子の最も外部の層の一部であるため、いずれの周囲光も、逆反射部材の前面に当たることとなる。有機発光層の人工光は後側を通って逆反射部材へと入射し、該部材自体を通って伝搬し、前面において該部材から出射される。
【００１２】
好適な実施例においては、逆反射部材は基層に接続される。逆反射部材に利用される物質に依存して、逆反射部材と基層との間で種々のタイプの接続が利用され得る。逆反射部材が高分子である場合には、これら２つの列挙された膜状構造を接着することにより、これら構造の間で、安価で容易な接続が達成され得る。散乱及び減衰を防ぐため、利用される接着剤は、逆反射部材及び／又は基層の屈折率と略等しい屈折率を持つべきである。
【００１３】
更なる好適な実施例においては、逆反射部材と基層とが一体化される。このことは、人工光が基層から逆反射部材へと交差する（交差点において散乱又は損失をもたらし得る）必要がないという利点を持つ。基層は、光に対して透明である必要があるため、ガラスでできたものであっても良い。その後、逆反射素子は当該ガラス層を破砕したものであっても良い。従って、該一体型の逆反射部材と基層とは、逆反射素子を埋め込みそれ故保護する封止層により被覆されても良い。基層に高分子物質が利用される場合には、該一体型の逆反射部材／基層は、鋳造の間に作成されても良い。この種の製法は安価であり、大量の発光素子が生成される場合には好適である。
【００１４】
更なる好適な実施例においては、逆反射部材は、第１及び第２の部分へと相互に分割された、箔状構造のものである。第１の部分内には、逆反射素子が、逆反射部材の表面へと埋め込まれる。これら逆反射素子は、以下の２つの方法のうちの一方により得られても良い。逆反射素子は、立方体コーナー素子を形成する、３つの相互に垂直な面のセットにより形成されても良い。立方体コーナーの立方体状構造を有する逆反射素子は、膜状の逆反射部材の前面に容易に埋め込まれるという利点を持つ。好適な実施例においては、逆反射素子は、逆反射部材の第１の部分内に均一な態様で配置される。有機発光層内で生成される光の散乱を低減するために、逆反射部材は、１．２と１．８との間の屈折率を有するべきである。斯かる屈折率は、逆反射部材の製造のために利用され得る高分子に見出される。適切な高分子の例には、アクリル、エポキシ変性アクリル、ポリカーボネート等が含まれる。用途のタイプに応じて、逆反射素子は、逆反射部材内で単層又は多層の態様で配置されても良い。逆反射素子を保護するため、保護層が逆反射部材全体をカバーしても良い。斯かる種類の保護膜は、ポリエステル、アクリル、ポリウレタン、塩化ビニル、ポリカーボネート、ポリアミド、フッ化ビニル樹脂、ポリブチラート等のような高分子を有しても良い。
【００１５】
逆反射素子を得るための他の方法は、逆反射素子の焦点面が反射面（典型的には部分的に透明な球面又は球状ミラー）に一致するように配置された反射性及び屈折性の光学素子を利用することである。斯かる種類の微小球又は微小構造は、逆反射部材に組み込まれても良い。
【００１６】
水及び酸素は有機発光物質に対して劣化作用を持つため、ＯＬＥＤはしばしば保護膜により封止される。他の好適な実施例においては、逆反射部材が、発光素子の積層を封止する。該封止は、外部の影響から発光素子を保護する。それ故、発光素子は、全体として又は一部が、逆反射部材により被覆されても良い。
【００１７】
更なる好適な実施例においては、前記第２の部分のみならず、前記第１の部分もが、逆反射部材の背面に当たる人工光に対して少なくとも部分的に透明である。説明された欠点を克服するため、本発明は、第１及び第２の部分を有する逆反射部材を開示する。第２の部分は人工光に対して透明であり、それ故光束を減衰させない。斯くして、開示される発光素子は、一方では遠くからでも視認されるに十分な光を発し、他方では逆反射素子のため周囲光により照明された場合に非常に視認性が高い。発光素子の明るさを更に改善するため、逆反射部材は、人工光に対して部分的に透明に設計されても良い。該目的は、逆反射素子を互いから一定の距離に配置し、これら素子の間で人工光が減衰なく伝搬できるようにすることにより達成される。更に、逆反射素子は、これら逆反射素子が逆反射部材を通り背面から伝搬する人工光を減衰させず、且つ前面に当たる周囲光を反射させるように設計されても良い。
【００１８】
利用分野に応じて、第１又は第２の部分によりカバーされる領域の割合は変わり得る。該発光素子が案内標識に組み込まれる場合には、基層の７０％が第２の部分によりカバーされ、３０％のみが第１の部分によりカバーされることが適切であることが分かっている。この割合は、最も適切に自ら光る発光素子に導く。本実施例は、自動車のヘッダライトにより発せられる周囲光の必要なく、案内標識が遠い距離から視認されることを可能とする。一方で発光素子が道路作業員の衣服において利用される場合には、逆反射素子によりカバーされる面積を増大させることが適切であることが分かっている。それ故、前記第１の部分が、発光素子の７０％をカバーしても良い。基層の残りの領域（３０％）はこのとき、光に対して透明な第２の部分によりカバーされる。
【００１９】
割合の他にも、基層上の第１又は第２の部分の配置が、用途の種類に依存して変わり得る。従って、第１及び第２の部分の縞模様の分布に帰着する長方形の幾何形状を持つ部分が、衣服に利用される場合には適していることが分かっている。他の実施例においては、第１又は第２の部分は数平方ｃｍの面積を有し、三角形、五角形、六角形又は八角形のうちの１つの外形を有しても良い。選択された外形に依存して、第１又は第２の部分の異なるパターンが構築され得る。列挙された外形のそれぞれは、能動的又は受動的な視認性に関する、それぞれの利点を持つ。
【００２０】
他の好適な実施例においては、前記第２の部分は、逆反射部材内の空隙により構築される。それ故、人工光に対する逆反射部材による減衰は生じない。実際には、有機発光層により発せられる光は、周囲へと直接に伝搬する。
【００２１】
他の好適な実施例においては、逆反射部材は多層箔である。例えば、逆反射部材は３つの異なる層を有しても良い。基板を形成する第１の層に、第２の層を形成する逆反射素子がスパッタリング及び／又は蒸着される。斯くして形成された積層を封止するため、第３の保護層が、逆反射部材を完成させても良い。多層箔設計は、各層について、個別の従って最適な選択物質が利用され得るという利点を持つ。斯くして、基板層に利用される高分子物質が、その知られた人工光に対する小さな減衰のため、選択されても良い。それに対し、逆反射素子を形成するために利用される物質は、長く継続するべき必要とされる安定性を有しても良い。更に、基板層及び／又は逆反射素子の包含は、ＯＬＥＤ素子の外部量子効率を改善し得る。このことは、逆反射素子の利用による、光出力の増大に帰着する。
【００２２】
前述した発光素子、並びに請求される構成要素及び説明される実施例における本発明により利用されるべき構成要素は、サイズ、形状、物質選択に関するいずれの特別な限定に制約されるものではない。関連分野において知られた技術概念が、限定することなく適用され得る。本発明の目的の付加的な詳細、特徴及び利点は、本発明による発光素子の好適な実施例を示す、下位請求項及びそれぞれの図面の以下の説明（単に例としてのものである）において開示される。
【図面の簡単な説明】
【００２３】
【図１】発光素子の断面図を示す。
【図２】逆反射部材の第１の実施例の断面図を示す。
【図３】逆反射部材の第２の実施例を示す。
【図４】底部発光型の実施例における発光素子を示す。
【図５】逆反射部材の他の断面図を示す。
【図６】発光素子の他の実施例を示す。
【図７】発光素子を有する案内標識を示す。
【発明を実施するための形態】
【００２４】
図１には、発光素子１０の断面図が示される。発光素子１０は、基板の積層１５を有する。発光素子１０の基礎は、ガラス又は高分子の基板である基層２０により形成される。該基層２０には、第１の電極層３０が堆積させられる。該第１の電極層３０の上には、有機発光層５０と第２の電極層４０とが、互いに重ねられる。これら３つの列挙された層３０、４０及び５０のそれぞれは、５００ｎｍよりも小さな厚さ、好適には約５０ｎｍ乃至２００ｎｍの厚さを有する。第２の電極層４０から第１の電極層３０へと流れる電流を与えると、有機発光層５０は、有機物質中の電子と正孔との再結合により人工光５１を放射する。第２の電極層４０はしばしば、アルミニウムにより構築される。列挙された厚さのアルミニウムはミラーとして働くという事実のため、発せられる人工光５１は、透明な第１の電極層３０及び基層２０を通って放射される。斯かる種類の有機発光ダイオード（ＯＬＥＤ）は、人工光５１が基層２０を通り放射されるため、底部発光型と呼ばれる。
【００２５】
本発明の目的は、一方では自ら発光し他方では反射特性を有する発光素子１０を開示することにより、安全性を増大させることである。更に、光源を駆動するためにＤＣ電流で十分であるべきである。高い効率のため、積層１５から構築される説明されたＯＬＥＤは、遠い距離からでも明確に視認できる光束を生成する。このことは低いエネルギー消費とも両立し、そのため発光素子１０は安全性を高めるために衣服又は道路標識に容易に組み込まれることができる。
【００２６】
本発明の第２の目的、即ち反射表面を実現することを達成するため、図１に示される発光素子１０は逆反射部材６０を有する。該逆反射部材６０は、複数の逆反射素子７０を有する。逆反射素子７０を通る有機発光層５０により生成された人工光５１の減衰を防ぐため、逆反射部材６０は２つの部分に分割される。第１の部分６１は、前記複数の逆反射素子７０を含む。それ故、第１の部分６１の主な目的は、逆反射部材６０の前面６５に入射する周囲光８０、８０'を反射することである。高い視認性を実現するためには、球面反射だけでは十分ではない。それ故、逆反射素子７０は、周囲光８０の源の方向へと周囲光８０を戻すように反射する能力を有する。例えば発光素子１０が案内標識において利用される場合には、説明された逆反射素子７０は、反射された周囲光８０が、該案内標識を照明した車両の運転手に達することを確実にする。
【００２７】
この能力は図２にも示されており、図２は逆反射部材６０のみを示している。基箔６４上に複数の逆反射部材６０が配置され、それぞれが、立方体コーナー素子を形成する３つの相互に垂直なミラーの構造を有する。逆反射部材６０の前面６５に入射する周囲光８０は、逆反射部材６０の表面の２箇所において反射される。その結果、反射された周囲光８０'は、周囲光８０の源の方向へと戻るように伝搬する。発光素子１０の必要とされる高い自己ルミネセンスを達成するため、基箔６４は、逆反射部材６０の背面６６に入射する人工光５１に対して透明な第２の部分６２を有する。
【００２８】
図３は、逆反射部材６０の他の実施例を示す。該実施例も、逆反射素子７０が取り付けられた基箔６４を有する箔状構造である。これらは合わせて逆反射部材６０の第１の部分６１を形成する。人工光５１の高い透明性及びそれ故低い減衰を達成するため、第２の部分は基層６４のみを有する。逆反射素子７０の第２の層６４''は切り取られる。従って、人工光５１が伝搬する空隙６３が形成される。説明された逆反射部材６０と、人工光５１を発する積層１５との組み合わせは、図４に示される。
【００２９】
図１において説明された発光素子１０とは異なり、図示される積層１５は、基層２０ではなく第２の電極４０を通して人工光５１を発する。斯かる種類の上部発光型ＯＬＥＤは、第２の電極層４０の厚さを低減することにより形成され得る。一定の厚さ以下では、アルミニウムは部分的に透明となる傾向がある。それ故、有機発光層５０内で生成された人工光５１は、第２の電極層４０を通って伝搬し、積層１５から出射する。図示される実施例においては、人工光５１は次いで、逆反射部材６０を通って進む。既に説明されたように、逆反射部材６０は、第２の部分６２を形成する空隙６３を有する。更に、逆反射素子７０が基層６４に組み込まれ、第１の部分６１を形成する。これらの部分６１及び６２のサイズ及び形状は、開示された発光素子１０の用途に依存する。開示された本発明のより容易な理解のため、図示された実施例における第１の部分６１は常に第２の部分６２よりも大きい。このことは、サイズ又は形状に関する限定として理解されるべきではない。
【００３０】
周囲光８０の必要とされる反射を達成するため、図５に示される逆反射部材６０は、反射面７１を持つ複数のビーズ状の逆反射素子７０'を有する。光透過部６２と組み合わせて、図示される逆反射部材６０は、一方では発光素子１０の自己ルミネセンスを実現し、他方では十分な周囲光８０が反射されて高い視認性が達成されることを確実にする。更に、図示される実施例においては、第１の部分６１に埋め込まれた逆反射素子７０'は、少なくとも部分的に光に対して透明である。それ故、発せられる人工光５１'の一部も、第１の部分６１を通って進むことが可能である。
【００３１】
図６において、逆反射部材７０'の他の実施例を有する発光素子１０が図示されている。積層１５は底部発光型ＯＬＥＤを形成し、第２の部分６２を通って伝搬する人工光５１を生成し、それ故、発光素子１０が周囲を照明し第三者により観測されることを可能とする。例えば斯かる装置１０が道路作業員の衣服に装着される場合には、該道路作業員の安全が著しく改善される。発光素子１０は低いエネルギー消費しか必要とせず単にＤＣ電圧を必要とするため、必要とされる電源が衣服に容易に組み込まれ得る。発せられる人工光５１は、第三者が遠くから該道路作業員を観測することを可能とする。一方で、夜間に車両が接近してきた場合には、自動車のヘッドライトにより発せられた周囲光８０が、発光素子１０の前面６５に当たる。逆反射特性を実現するため、ビーズ状の逆反射素子７０'が、周囲光８０の向きを変える。図５に示された逆反射部材６０とは異なり、周囲光は反射面７０において反射されず、第２の電極層４０において反射される。第２の電極層４０はアルミニウムでできているため、ミラーのように働き、周囲光８０'を発光素子１０の表面の方向へ戻るように反射させる。積層１５から出る際に、周囲光８０'は再び逆反射素子７０'の１つを通って進み、再び向きを変えられ、光源の方向に向けて発光素子１０から出射される。反射された周囲光８０'と人工光５１との組み合わせが、高い視認性と、道路作業員を見落とす著しく低減された可能性とを保証する。
【００３２】
図７において、開示された発光素子１０の潜在的な用途分野として、案内標識が図示されている。案内標識１００の外形、及び示されるべき情報が、第１の部分６１又は第２の部分６２の外形を定義する。図示される実施例において、「stop」なる語及び案内標識１００の外縁が、透明な第２の部分６２により形成されている。それ故、該語自体と案内標識１００の縁とが照明される。夜間であっても、歩行者又は自動車の運転者は、遠い距離からも案内標識１００を認識することとなろう。一方で、例えば車両のヘッドライトのような光源が案内標識１００を照明した場合、反射された周囲光８０は、案内標識１００により発せられる人工光５１に追加されることとなる。説明されたいずれの場合においても、案内標識１００を見落とす可能性は、著しく低減される。
【符号の説明】
【００３３】
１０  発光素子
１５  積層
２０  基層
３０  第１の電極層
４０  第２の電極層
５０  有機発光層
５１、５１'  人工光
６０  逆反射部材
６１  第１の部分
６２  第２の部分
６３  逆反射部材６０における空隙
６４、６４'、６４''  箔
６５  前面
６６  背面
７０、７０''  逆反射素子
７１  反射面
８０、８０'  周囲光
１００  案内標識
【図１】
2010524169.tif 000003
【図２】
2010524169.tif 000004
【図３】
2010524169.tif 000005
【図４】
2010524169.tif 000006
【図５】
2010524169.tif 000007
【図６】
2010524169.tif 000008
【図７】
2010524169.tif 000009
【国際調査報告】
2010524169.tif 000010
2010524169.tif 000011